(57)【要約】【課題】２Ｄ画像の撮影中に、容易に３Ｄ画像の撮影に切り替える。【解決手段】３次元の画像データと２次元の画像データとを出力する撮像手段と、前記３次元の画像データを一時的に記憶する記憶手段と、前記３次元の画像データと前記２次元の画像データを記録媒体に記録する記録手段と、前記記憶手段に記憶した前記３次元の画像データを読み出し、前記記録媒体に記録させる制御手段とを有し、前記制御手段は、前記２次元の画像データの記録中に前記次元の画像データを前記記憶手段に記憶し、前記２次元の動画データの記録中に、ユーザーにより前記２次元の画像データの記録から前記３次元の画像データの記録への切り替え指示があった場合、前記切り替えの指示から所定時間前までの、前記記憶手段に記憶された前記３次元の画像データを、前記２次元の画像データに代えて記録するように前記記録手段を制御する。【選択図】図２
2016009958.tif 000002
【特許請求の範囲】
【請求項１】
３次元の画像データと２次元の画像データとを出力する撮像手段と、
前記３次元の画像データを一時的に記憶する記憶手段と、
前記３次元の画像データと前記２次元の画像データを記録媒体に記録する記録手段と、
前記記憶手段に記憶した前記３次元の画像データを読み出し、前記記録媒体に記録させる制御手段と、を有し、
前記制御手段は、前記２次元の画像データの記録中に前記次元の画像データを前記記憶手段に記憶し、前記２次元の動画データの記録中に、ユーザーにより前記２次元の画像データの記録から前記３次元の画像データの記録への切り替え指示があった場合、前記切り替えの指示から所定時間前までの、前記記憶手段に記憶された前記３次元の画像データを、前記２次元の画像データに代えて記録するように前記記録手段を制御することを特徴とする撮像装置。
【発明の詳細な説明】
【技術分野】
【０００１】
本発明は、撮像装置に関する。
【背景技術】
【０００２】
近年、３Ｄ映画やホームＡＶ機器、放送・ＩＰＴＶ等の３Ｄ映像コンテンツプラットフォームが広がりを見せ、デジタルカメラ、デジタルビデオカメラにおいても、３Ｄデータを取り扱う機器の開発も促進されている。
【０００３】
例えば液体レンズを使用し、電子制御で２Ｄでの撮影と３Ｄでの撮影を一つの撮像装置で切替え可能にしている（特許文献１参照）。
【先行技術文献】
【特許文献】
【０００４】
【特許文献１】特願２００８−５２７７５４号公報
【発明の概要】
【発明が解決しようとする課題】
【０００５】
しかしながら、上記従来例では２Ｄでの撮影と３Ｄでの撮影を切替えた際に、その瞬間からしか切り替えた撮影方法で撮影画像を記録することができないため、ユーザーが３Ｄでの撮影画像を記録したい場面があった場合に、２Ｄでの撮影から３Ｄでの撮影に切替えていては遅く、その場面を記録できない事象があった。
【０００６】
本発明は、２次元の画像の撮影中であっても、容易に３次元の画像の撮影に切り替えることが可能な装置を提供することを目的とする。
【課題を解決するための手段】
【０００７】
本発明に係る撮像装置の構成は、３次元の画像データと２次元の画像データとを出力する撮像手段と、前記３次元の画像データを一時的に記憶する記憶手段と、前記３次元の画像データと前記２次元の画像データを記録媒体に記録する記録手段と、前記記憶手段に記憶した前記３次元の画像データを読み出し、前記記録媒体に記録させる制御手段とを有し、前記制御手段は、前記２次元の画像データの記録中に前記次元の画像データを前記記憶手段に記憶し、前記２次元の動画データの記録中に、ユーザーにより前記２次元の画像データの記録から前記３次元の画像データの記録への切り替え指示があった場合、前記切り替えの指示から所定時間前までの、前記記憶手段に記憶された前記３次元の画像データを、前記２次元の画像データに代えて記録するように前記記録手段を制御することを特徴とする。
【発明の効果】
【０００８】
本発明によれば、２次元の画像の撮影中であっても、容易に３次元の画像の撮影に切り替えることが可能となる。
【図面の簡単な説明】
【０００９】
【図１】撮像装置の機能ブロック図である。
【図２】撮像装置の動作を示すフローチャートである。
【図３】撮像装置の動作を示すフローチャートである。
【図４】撮像装置の機能ブロック図である。
【図５】撮像装置の動作を示すフローチャートである。
【図６】撮像装置の動作を示すフローチャートである。
【発明を実施するための形態】
【００１０】
以下、第１の実施形態について図面を用いて詳述する。
【００１１】
＜第１の実施形態＞
図１は第１、第２の実施形態における撮像装置の機能ブロック図であり、１０は撮像装置で、ＣＰＵ（システムコントローラ）１０１、記録媒体１０２、一時記録媒体１０３、撮像部１０４、操作部１０５、表示部１０６、Ｉ／Ｆ１０７を備えている。
【００１２】
次に、図１の全体構成ならびに基本動作を説明する。ＣＰＵ１０１は中央演算処理機能を備え、操作部１０５からユーザー指定コマンドを受信実行する。撮像部１０４は被写体像を２Ｄ及び３Ｄで撮像し、その情報を画像データ処理用として変換・出力する。操作部１０５はユーザーインタフェースであり、２Ｄから３Ｄ及び３Ｄから２Ｄへの撮影の選択・切替え、ＲＥＣ／プリＲＥＣの選択・設定、撮像記録を行なう際のシャッターボタンやズームボタン、電源ＯＮ／ＯＦＦなど、メニューセレクトあるいはキースイッチ等、幾多のスイッチ群によって構成されている。表示部１０６は、撮像映像もしくは再生映像のモニタ機能、ユーザーへの様々な管理データの表示、または操作コマンド指示等を受けるインタフェースである。またＩ／Ｆ１０７は、外部端子や無線機を介して、ＩＥＥＥ１３９４やＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、アナログ映像信号（Ａｕｄｉｏ／Ｖｉｄｅｏ）など、所定フォーマット信号の送受信機能を実現するインタフェース系である。
【００１３】
一時記録媒体１０３はＣＰＵ１０１の各処理においてタイム・シェアされるメモリであり、撮影データも一時的に保存する。記録媒体１０４は、ＣＰＵ１０１を経由してデータの書き込み、読み出しが制御され、撮影画像データを保存する。
【００１４】
図２は撮像装置の動作を示すフローチャートである。ステップＳ２０１では、ＣＰＵ１０１が撮像部１０４を介して撮影を開始する。ステップＳ２０２では、ＣＰＵ１０１がＲＥＣとしてＳ２０１で撮影した２Ｄの撮影画像データを記録媒体１０２へ記録し、同時にプリＲＥＣとしてＣＰＵ１０１が撮像部１０４を介して３Ｄの撮影画像データを取得し、そのデータを一時記録媒体１０３へ記録する。ここで、プリＲＥＣとは、撮影データを一時的にバッファリングしておき、記録が開始された際にバッファリングしていた撮像データを記録することである。
【００１５】
ステップＳ２０３では、操作部１０５やＩ／Ｆ１０７を介してＣＰＵ１０１へ撮影方法を２Ｄから３Ｄへ変更する要求があった場合は、ＣＰＵ１０１が撮影方法を２Ｄから３Ｄへ変更し、ステップＳ２０４に移行する。また、撮影方法を２Ｄから３Ｄへ変更する要求がなく２Ｄで継続する場合は、ＣＰＵ１０１が撮影方法を２Ｄで継続し、ステップＳ２０７に移行する。ステップＳ２０４では、ＣＰＵ１０１がステップＳ２０２でプリＲＥＣして一時記録媒体１０３へ記録していた、切替えた時から所定時間前まで記録してある３Ｄの撮影画像データを、記録媒体１０２へ記録する。また、ＣＰＵ１０１は前記記録完了後、プリＲＥＣを終了する。ステップＳ２０５では、ＣＰＵ１０１が撮像部１０４を介して３Ｄの撮影方法で撮影を開始し、ＲＥＣとして撮影した画像データを記録媒体１０４へ記録する。
【００１６】
ステップＳ２０６では、ＣＰＵ１０１が撮影を終了する。ステップＳ２０８では、撮影を終了する要求があった場合はステップＳ２０７へ移行し、ステップＳ２０７で処理を終了する。また、撮影を終了する要求がなく、撮影を継続する場合はステップＳ２０２へ移行し、処理を継続する。
【００１７】
＜第２の実施形態＞
２Ｄから３Ｄへの撮影方法の切替に限定されず、一時記録及び記録データもユーザーが選択できる第２の実施形態について図面を用いて詳述する。
【００１８】
図３は撮像装置の動作を示すフローチャートである。ステップＳ３０１では、操作部１０５やＩ／Ｆ１０７を介してＣＰＵ１０１へ撮影方法を３Ｄまたは２Ｄに予め選択・設定し、ＣＰＵ１０１が撮像部１０４を介して撮影を開始する。ステップＳ３０２では、３Ｄまたは２Ｄの撮影方法として選択していない撮影方法の撮影画像データの記録が必要か確認する。選択していない撮影方法の撮影画像データの記録が必要な場合はステップＳ３０３に移行する。また、選択していない撮影方法の画像データの記録が必要ない場合はステップＳ３０８に移行する。
【００１９】
ステップＳ３０３では、ＣＰＵ１０１がＲＥＣとしてＳ３０１で撮影した、選択した撮影方法の画像データを記録媒体１０２へ記録し、同時にプリＲＥＣとしてＣＰＵ１０１が撮像部１０４を介して、選択していない撮影方法の画像データを取得し、そのデータを一時記録媒体１０３へ記録する。
【００２０】
ステップＳ３０８では、ＣＰＵ１０１がＲＥＣとしてＳ３０１で撮影した、選択した撮影方法の画像データと、選択していない撮影方法の画像データ両方を記録媒体１０２へ記録する。ステップＳ３０４では、操作部１０５やＩ／Ｆ１０７を介してＣＰＵ１０１へ撮影方法を２Ｄから３Ｄ、または３Ｄから２Ｄへ変更する要求があった場合は、ＣＰＵ１０１が撮影方法を要求された方法に変更し、ステップＳ３０５に移行する。また、撮影方法を変更する要求がなく、そのままの方法で継続する場合は、ＣＰＵ１０１が撮影方法をそのままで継続し、ステップＳ３０９に移行する。
【００２１】
ステップＳ３０５では、ＣＰＵ１０１がプリＲＥＣを実行しているか確認する。ステップＳ３０３を経てプリＲＥＣを実行している場合はステップＳ３０６へ移行する。ステップＳ３０８を経てプリＲＥＣを実行していない場合はステップＳ３０２へ移行する。ステップＳ３０６では、プリＲＥＣしている３Ｄまたは２Ｄの、撮影方法として選択していない撮影方法の画像データの記録が必要か確認する。プリＲＥＣしている選択していない撮影方法の画像データの記録が必要な場合はステップＳ３０７に移行する。また、選択していない撮影方法の画像データの記録が必要ない場合はステップＳ３０２に移行する。
【００２２】
ステップＳ３０７では、ＣＰＵ１０１がステップＳ３０３でプリＲＥＣして一時記録媒体１０３へ記録していた、切替えた時から所定時間前まで記録してある撮影画像データを記録媒体１０２へ記録する。ステップＳ３０９では、撮影を終了する要求があった場合はステップＳ３１０へ移行し、ステップＳ３１０で処理を終了する。また、撮影を終了する要求がなく、撮影を継続する場合はステップＳ３０２へ移行し、処理を継続する。
【００２３】
＜第３の実施形態＞
第１の実施形態において、プリＲＥＣ対象として３Ｄの撮影画像データではなく、２Ｄの画像データと合わせて、３Ｄへ変換処理するための撮影データを対象とした、第３の実施形態について図面を用いて詳述する。図４は第３、第４の実施形態における撮像装置の機能ブロック図であり、１０は撮像装置で、ＣＰＵ（システムコントローラ）１０１、記録媒体１０２、一時記録媒体１０３、撮像部１０４、操作部１０５、表示部１０６、Ｉ／Ｆ１０７、記録画像処理部４０１を備えている。
【００２４】
次に、図４の全体構成ならびに基本動作を説明する。ここでＣＰＵ（システムコントローラ）１０１、記録媒体１０２、一時記録媒体１０３、撮像部１０４、操作部１０５、表示部１０６、Ｉ／Ｆ１０７において、図１に示す回路と同一のブロックは、同一の符号を付してその詳細な説明を省略する。
【００２５】
記録画像処理部４０１は２Ｄ及び３Ｄの撮影画像データを、それぞれ２Ｄを３Ｄ、３Ｄを２Ｄの画像データに変換処理する。
【００２６】
図５は撮像装置の動作を示すフローチャートである。ステップＳ２０１では、ＣＰＵ１０１が撮像部１０４を介して撮影を開始する。ステップＳ５０１では、ＣＰＵ１０１がＲＥＣとしてＳ２０１で撮影した２Ｄの撮影画像データを記録媒体１０２へ記録し、同時にプリＲＥＣとしてＣＰＵ１０１が撮像部１０４を介して、前記ＲＥＣしている２Ｄの撮影画像データを３Ｄに変換処理可能な撮影データを取得し、そのデータを一時記録媒体１０３へ記録する。
【００２７】
ステップＳ２０３では、操作部１０５やＩ／Ｆ１０７を介してＣＰＵ１０１へ撮影方法を２Ｄから３Ｄへ変更する要求があった場合は、ＣＰＵ１０１が撮影方法を２Ｄから３Ｄへ変更し、ステップＳ２０４に移行する。また、撮影方法を２Ｄから３Ｄへ変更する要求がなく２Ｄで継続する場合は、ＣＰＵ１０１が撮影方法を２Ｄで継続し、ステップＳ２０７に移行する。
【００２８】
ステップＳ５０２では、ＣＰＵ１０１が記録画像処理部４０１を介して、ステップＳ５０１でＲＥＣしていた２Ｄの撮影画像データの内、切替えた時から所定時間前まで記録してある撮影画像データを、同様にプリＲＥＣして一時記録媒体１０３へ記録していた３Ｄに変換処理可能な撮影データを利用して、３Ｄの画像データに変換処理する。
【００２９】
ステップＳ５０３では、ＣＰＵ１０１がステップＳ５０２で変換した３Ｄの画像データを記録媒体１０２へ記録する。また、ＣＰＵ１０１は前記記録完了後、プリＲＥＣを終了する。ステップＳ２０５、ステップＳ２０６のフローは実施例１と同様なので省略する。
【００３０】
ステップＳ２０８では、撮影を終了する要求があった場合はステップＳ２０７へ移行し、ステップＳ２０７で処理を終了する。また、撮影を終了する要求がなく、撮影を継続する場合はステップＳ５０１へ移行し、処理を継続する。
【００３１】
＜第４の実施形態＞
第３の実施形態で、プリＲＥＣ対象として選択していない撮影方法の撮影画像データではなく、選択した撮影方法の撮影画像データと合わせて、選択していない撮影方法の画像データに変換処理するための撮影データを対象とした、第４の実施形態について図面を用いて詳述する。
【００３２】
図６は撮像装置の動作を示すフローチャートである。ステップＳ３０１では、操作部１０５やＩ／Ｆ１０７を介してＣＰＵ１０１へ撮影方法を３Ｄまたは２Ｄに予め選択・設定し、ＣＰＵ１０１が撮像部１０４を介して撮影を開始する。ステップＳ３０２では、３Ｄまたは２Ｄの撮影方法として選択していない撮影方法の撮影画像データの記録が必要か確認する。選択していない撮影方法の撮影画像データの記録が必要な場合はステップＳ６０１に移行する。また、選択していない撮影方法の画像データの記録が必要ない場合はステップＳ３０８に移行する。
【００３３】
ステップＳ６０１では、ＣＰＵ１０１がＲＥＣとしてＳ３０１で撮影した、選択した撮影方法の画像データを記録媒体１０２へ記録し、同時にプリＲＥＣとしてＣＰＵ１０１が撮像部１０４を介して、前記ＲＥＣしている選択している撮影方法の画像データを、選択していない撮影方法の画像データに変換処理可能な撮影データを取得し、そのデータを一時記録媒体１０３へ記録する。ステップＳ３０８、ステップＳ３０４のフローは実施例１と同様なので省略する。
【００３４】
ステップＳ３０５では、ＣＰＵ１０１がプリＲＥＣを実行しているか確認する。ステップＳ３０３を経てプリＲＥＣを実行している場合はステップＳ６０２へ移行する。ステップＳ３０８を経てプリＲＥＣを実行していない場合はステップＳ３０２へ移行する。ステップＳ６０２では、３Ｄまたは２Ｄの、撮影方法として選択していない撮影方法の画像データの記録が必要か確認する。選択していない撮影方法の画像データの記録が必要な場合はステップＳ６０３に移行する。また、選択していない撮影方法の画像データの記録が必要ない場合はステップＳ３０２に移行する。
【００３５】
ステップＳ６０３では、ＣＰＵ１０１が記録画像処理部４０１を介して、ステップＳ６０１でＲＥＣしていた選択した撮影方法の撮影画像データの内、切替えた時から所定時間前までの撮影画像データを、同様にプリＲＥＣして一時記録媒体１０３へ記録していた選択していない撮影方法の画像データに変換処理可能な撮影データを利用して、選択していない撮影方法の画像データに変換処理する。
【００３６】
ステップＳ６０４では、ＣＰＵ１０１がステップＳ６０３で変換した選択していない撮影方法の画像データを記録媒体１０２へ記録する。ステップＳ３０９のフローは実施例１と同様なので省略する。
【符号の説明】
【００３７】
１０  撮像装置、１０１  ＣＰＵ（システムコントローラ）、１０２  記録媒体、
１０３  一時記録媒体、１０４  撮像部、１０５  操作部１０５，１０６  表示部、
１０７  Ｉ／Ｆ
【図１】
2016009958.tif 000003
【図２】
2016009958.tif 000004
【図３】
2016009958.tif 000005
【図４】
2016009958.tif 000006
【図５】
2016009958.tif 000007
【図６】
2016009958.tif 000008